(57)【特許請求の範囲】
【請求項１】
湾曲開水路外側側壁底面の端部に設置する為の開口円形フルームであって、前記円形の円周長の１／３〜１／２に相当する部分が水路方向に切り取られ、該部分が開口となっていることを特徴とする長尺の湾曲開口円形フルーム。
【請求項２】
前記フルームがその壁面に多数の開口を有している、請求項１に記載された長尺の湾曲開口円形フルーム。
【請求項３】
前記フルームがプラスチック製である、請求項１又は２に記載された長尺の湾曲開口円形フルーム。
【請求項４】
請求項１〜３の何れかに記載されたフルームが、その開口部が湾曲開水路中央側に向くように該湾曲開水路の外側側壁底面端部に埋め込まれていることを特徴とする開口水路。
【発明の詳細な説明】
【０００１】
【発明の属する技術分野】
本発明は、水路外に水が飛び出ることを防止したり、魚が生息し易い環境を整えるのに適した長尺の開口円形フルームに関し、特に、急流湾曲部における越水を防止するのに適した、長尺の制流用開口円形フルーム及びそれを用いた制流性能に優れた水路に関する。
【０００２】
【従来の技術】
起伏に富んだ我国においては、地形上やむを得ず、一様で急勾配の湾曲開水路や段落急勾配湾曲開水路、或は急勾配から緩勾配に変化しながら湾曲する開水路等がしばしば建設されてきた。このような開水路では、急速流下水が水路湾曲部側壁に沿って迫り上がり水路壁を飛び出すことが珍しいことではなかった。このような現象は下流側の流況を乱すだけでなく、飛び出した越流水が土羽を浸食したり裏込めを洗堀して水路を損壊する原因となり、災害を誘発する畏れがある。そこで、このような場合、一般的には、湾曲部にパラペットを取り付けたり覆蓋を設置して、流下水の飛び出しや越流の防止を図るが、このようにしても下流側の開水路の流況が乱れて不安定になり、水路の景観を損ね易いという欠点があった。
【０００３】
【発明が解決しようとする課題】
本発明者等は上記の欠点を解決すべく鋭意検討した結果、半径ｒの円筒の周長２πｒのうち、（２／３）πｒ〜πｒ部分を円筒の長さ方向に沿って切り取って開口とし、この開口部を水路中央側に向けて湾曲開水路の外側側壁底面端部に設置することにより、流下水の迫り上がり、水の飛び出し、及び越流を防止することが出来ることを見出し、本発明に到達した。
従って本発明の第１の目的は、湾曲開水路からの水の飛び出しや越流を防止し、流況を安定化するのに好適な、長尺の湾曲開口円形フルームを提供することにある。
本発明の第２の目的は、魚類の逃避・休息場所を形成することの出来る、湾曲開口円形フルームを提供することにある。
【０００４】
【課題を解決するための手段】
本発明の上記の諸目的は、湾曲開水路外側側壁底面の端部に設置する為の開口円形フルームであって、前記円形の円周長の１／３〜１／２に相当する部分が水路の流れ方向に切り取られ、該部分が開口となっていることを特徴とする長尺の湾曲開口円形フルームによって達成された。
【０００５】
【発明の実施の形態】
以下、本発明を実施例に基いて説明する。
図１は、本発明の湾曲開口円形フルームを、外側側壁の底面端部に配してなる水路の部分断面図である。図中の符号１は本発明の湾曲開口円形フルーム、２は水路である。本図の場合のフルームの開口は、フルームの断面円周の半径をｒとすると（５／６）πｒ、即ち円筒周長の５／１２が切り取られて開口となっている。流量が小さければ半割（πｒ）とすることが出来る。しかしこの場合には側壁面から０．５ｒ程度の水平掘込み部を有するように掘込むことが好ましい（図２a図）。
フルームの管径２ｒは用い方によって適宜設定することが出来る。遡上魚類等の逃避、休息場所とする場合には、フルームの管径を該魚類の体高の１．５〜２．０倍程度とすることが好ましい。本発明の湾曲開口円形フルームは規模の大きい湾曲開水路にも好適であるので、ｒが１０ｃｍ程度のものから数ｍ程度のものまで、設置箇所の状況に応じて設計する。
【０００６】
図２は一様な勾配の斜面に建設される湾曲開水路に設置する、本発明の湾曲開口円形フルームの説明図である。ａ図は水路断面図、ｂ図はａ図のＡ−Ａ断面図である。図３ａ図は図２ａ図のＢ−Ｂ断面図、ｂ図及びｃ図は夫々フルーム端部の形状の例である。フルーム端部は水路側壁から離れないように、不要部分を切り取れば良い。また、フルームの材質は通常プラスチックであるが、鋼鉄のような金属製であっても良いことは当然である。
本発明のフルームは水路底部側壁に埋め込まれるが、その埋め込みの程度は、フルームの開口度によって適宜調整される。フルームの開口度が半割（πｒ）に近い程、水平堀込み部を設ける必要が生じる為に深く埋め込むことになる。また、フルームを埋め込んだ後に、フルーム内面にコンクリートを施工する場合には、フルームの壁面に多数の開口を設けておくことが好ましい。これによって、施工したコンクリートが剥離し難くなると共に、フルームの材料費が節減されるという利点も生じる。
尚、フルームの管径（２ｒ）は、上流側の湾曲始点における等流水深の１．５倍程度とすることが好ましい。
【０００７】
図４は、緩勾配と急勾配が連続している場合における、本発明の湾曲開口円形フルームの取り付け方法を説明する図である。図中のMCは勾配の変曲点であり、フルームの湾曲中心点でもある。本発明のフルームは、上段の変曲点MCと下段の変曲点ECをカバーするように設けられることが好ましい。フルームの管径（２ｒ）は、湾曲始点上流側開水路における等流水深の１．５倍程度とすることが好ましい。
勾配の変わる湾曲部のみに本発明の湾曲開口円形フルームを設置しても良いが、特に、急勾配から緩勾配に変わる場合には、本発明の湾曲開口円形フルームの始点を上流側急勾配水路湾曲部を始点とし、下流側終点を緩勾配水路巾の５〜１０倍の位置まで設置することが好ましい。また、湾曲開口円形フルームの管径２ｒを、下流側緩勾配水路における等流水深の１．５倍程度とすることが好ましい。
【０００８】
規模の大きい湾曲用水路の場合には、フルームを設置する地点が地山であれば管径の大きいフルームを設置することが出来るが、地山がなく、管径の大きいフルームを設置すると側壁が過大の厚さになる場合には、流量及び流況に応じた管径のフルームを２段重ねにして設置することにより、側壁の厚さを減少させることが出来る。
【０００９】
【発明の効果】
本発明の湾曲開口円形フルームは構造が単純であり量産に優れているので安価であり、施工も容易である。また、本発明の湾曲開口円形フルームは、魚の逃避場所や休息場所となるので、魚道に好適である。更に、水路の湾曲部に適切に設置することにより、水路の流れに直交する方向に水路底面を傾斜させなくても、越水を防止したり流況の乱れを防止することが出来るので、本発明は極めて有意義である。
【図面の簡単な説明】
【図１】  本発明の湾曲開口円形フルームを、外側側壁の底面端部に配してなる湾曲水路の部分断面図である。
【図２】  一様な勾配の斜面に建設される湾曲開水路に設置する湾曲開口円形フルームの説明図である。ａ図は水路断面図、ｂ図はａ図のA-A断面図である。
【図３】  ａ図は図２ａ図のB-B断面図、ｂ図及びｃ図は夫々本発明の湾曲開口円形フルームの端部の形状の例である。
【図４】  図４は緩勾配と急勾配が連続している場合における本発明の湾曲開口円形フルームの取り付け方法を説明する図である。
【符号の説明】
１．本発明の湾曲開口円形フルーム
２．水路
【図１】
0003860066.tif 000002
【図２】
0003860066.tif 000003
【図３】
0003860066.tif 000004
【図４】
0003860066.tif 000005